(57)【要約】【課題】操作性を向上させる。【解決手段】中心軸Ｘ１に沿って形成された切込部１２１に被連結コネクタの突起部を挿入させつつ被連結コネクタの被嵌合部の外側に嵌合する第２嵌合部１２と、中心軸Ｘ１を中心として回動可能に第２嵌合部１２の外側に配設されて切込部１２１に対する突起部の挿入および引き抜きを第１位置において規制し第２位置において許容する規制部１３ａ，１３ｂと、規制部１３ａ，１３ｂを回動させる回動機構とを備え、規制部１３ａ，１３ｂの先端部１３１には、第１位置において切込部１２１の先端部１２１ａを閉塞し第２位置において開放する閉塞部１３３が設けられ、回動機構は、中心軸Ｘ１に沿ってスライド可能なノブ４１と、ノブ４１のスライドに伴って第１位置に向かう第１の向きおよび第２位置に向かう第２の向きに規制部１３ａ，１３ｂを押圧する押圧部４２ａ，４２ｂとを備えている。【選択図】図３
2014146462.tif 000002
【特許請求の範囲】
【請求項１】
筒状に形成された被嵌合部の外周面に一対の突起部を有する被連結コネクタに連結可能なコネクタであって、
筒状に形成されて、中心軸に沿う方向に形成された切込部を先端部に有して前記連結時において当該切込部に対して前記突起部を挿入させつつ前記被嵌合部の外側に嵌合する嵌合部と、
前記嵌合部の前記中心軸を中心として予め決められた第１位置および第２位置の間で回動可能に当該嵌合部の外側に配設されて、前記第１位置に位置している状態において前記切込部に対する前記突起部の挿入および引き抜きを規制すると共に前記第２位置に位置している状態において当該切込部に対する当該突起部の挿入および引き抜きを許容する一対の規制部と、
前記各規制部を第１位置と第２位置との間で回動させる回動機構とを備え、
前記各規制部における先端部には、前記第１位置に位置している状態において前記切込部の先端部を閉塞すると共に前記第２位置に位置している状態において当該先端部を開放する閉塞部が設けられ、
前記回動機構は、前記中心軸に沿う方向にスライド可能に構成された操作用のノブと、当該ノブのスライドに伴って動作して前記第１位置に向かう第１の向きおよび前記第２位置に向かう第２の向きに前記各規制部を押圧して当該各規制部を回動させる押圧部とを備えているコネクタ。
【請求項２】
前記回動機構は、前記押圧部が前記第１の向きに前記各規制部を押圧するように当該押圧部を付勢する付勢部を備えている請求項１記載のコネクタ。
【請求項３】
前記嵌合部には、互いに等間隔に配置された４つの前記切込部が形成されている請求項１または２記載のコネクタ。
【発明の詳細な説明】
【技術分野】
【０００１】
本発明は、外周面に一対の突起部を有する筒状の被嵌合部を備えた被連結コネクタに連結可能なコネクタに関するものである。
【背景技術】
【０００２】
この種のコネクタとして、特開２００４−６３０８７号公報に開示されたＢＮＣコネクタプラグが知られている。このＢＮＣコネクタプラグは、円筒状の接続スリーブを備えて構成されている。また、接続スリーブには、周方向に沿って導入溝が形成されている。このＢＮＣコネクタプラグをＢＮＣレセプタクル（被連結コネクタ）に連結する際には、ＢＮＣレセプタクルにおける筒状の被嵌合部に設けられている一対のボス（突起部）を、接続スリーブに形成されている導入溝の先端部側の端部に進入させる。次いで、接続スリーブを９０°程度回動させてボスを導入溝に嵌合させつつ接続スリーブを被嵌合部に向けて押し込むことで、接続スリーブに被嵌合部を挿入させる。これにより、ＢＮＣコネクタプラグとＢＮＣレセプタクルとが連結される。また、ＢＮＣコネクタプラグとＢＮＣレセプタクルとの連結を解除する際には、上記した回動の向きとは逆向きに接続スリーブを回動させつつ、接続スリーブと被嵌合部とを引き離す。これにより、ＢＮＣコネクタプラグとＢＮＣレセプタクルとの連結が解除される。
【先行技術文献】
【特許文献】
【０００３】
【特許文献１】特開２００４−６３０８７号公報（第２頁、第１−３図）
【発明の概要】
【発明が解決しようとする課題】
【０００４】
ところが、上記のＢＮＣコネクタプラグには、以下の課題がある。すなわち、このＢＮＣコネクタプラグでは、ＢＮＣレセプタクルとの連結および連結解除の際に、接続スリーブを回動させる必要がある。しかしながら、例えば、ＢＮＣレセプタクルが狭い場所や手の届き難い場所に位置しているときには、接続スリーブを回動させる操作が困難なことがある。このように、従来のＢＮＣコネクタプラグには、ＢＮＣレセプタクルとの連結および連結解除を行う際の操作性が悪いという課題が存在し、この点の解決が望まれている。
【０００５】
本発明は、かかる課題に鑑みてなされたものであり、操作性を向上させ得るコネクタを提供することを主目的とする。
【課題を解決するための手段】
【０００６】
上記目的を達成すべく請求項１記載のコネクタは、筒状に形成された被嵌合部の外周面に一対の突起部を有する被連結コネクタに連結可能なコネクタであって、筒状に形成されて、中心軸に沿う方向に形成された切込部を先端部に有して前記連結時において当該切込部に対して前記突起部を挿入させつつ前記被嵌合部の外側に嵌合する嵌合部と、前記嵌合部の前記中心軸を中心として予め決められた第１位置および第２位置の間で回動可能に当該嵌合部の外側に配設されて、前記第１位置に位置している状態において前記切込部に対する前記突起部の挿入および引き抜きを規制すると共に前記第２位置に位置している状態において当該切込部に対する当該突起部の挿入および引き抜きを許容する一対の規制部と、前記各規制部を第１位置と第２位置との間で回動させる回動機構とを備え、前記各規制部における先端部には、前記第１位置に位置している状態において前記切込部の先端部を閉塞すると共に前記第２位置に位置している状態において当該先端部を開放する閉塞部が設けられ、前記回動機構は、前記中心軸に沿う方向にスライド可能に構成された操作用のノブと、当該ノブのスライドに伴って動作して前記第１位置に向かう第１の向きおよび前記第２位置に向かう第２の向きに前記各規制部を押圧して当該各規制部を回動させる押圧部とを備えている。
【０００７】
また、請求項２記載のコネクタは、請求項１記載のコネクタにおいて、前記回動機構は、前記押圧部が前記第１の向きに前記各規制部を押圧するように当該押圧部を付勢する付勢部を備えている。
【０００８】
また、請求項３記載のコネクタは、請求項１または２記載のコネクタにおいて、前記嵌合部には、互いに等間隔に配置された４つの前記切込部が形成されている。
【発明の効果】
【０００９】
請求項１記載のコネクタでは、嵌合部の中心軸に沿う方向に回動機構のノブをスライドさせることで、切込部に対する被連結コネクタの突起部の挿入および引き抜きを規制する第１位置と許容する第２位置との間で規制部が回動させられる。このため、このコネクタによれば、コネクタを回動させて被連結コネクタとコネクタとを連結させる従来の構成とは異なり、回動させる操作を行うことなく、嵌合部の中心軸に沿う方向に被連結コネクタに対してコネクタを押し込むだけで、コネクタと被連結コネクタとを連結させることができ、また、中心軸に沿う方向にノブをスライド操作させてその方向にコネクタを引き抜くだけで、コネクタと被連結コネクタとの連結を解除させることができる。したがって、このコネクタによれば、被連結コネクタが狭い場所や手の届き難い場所に位置して、コネクタを回動させる操作が困難な場合においても、コネクタと被連結コネクタとの連結および連結解除の操作を容易に行うことができる結果、操作性を十分に向上させることができる。
【００１０】
また、請求項２記載のコネクタによれば、押圧部が第１の向きに各規制部を押圧するように押圧部を付勢する付勢部を備えて回動機構を構成したことにより、ノブに対するスライド操作を行うことなく（ノブに対する操作を終了することで）、付勢部の付勢力によって規制部を自動的に第１位置の位置に位置させて、切込部に対する被連結コネクタの突起部の挿入および引き抜きを規制することができる。このため、このコネクタによれば、規制部を第１位置の位置に位置させるためにノブを操作する必要がある構成と比較して、操作性をさらに向上させることができる。
【００１１】
また、請求項３記載のコネクタによれば、互いに等間隔に配置された４つの切込部を嵌合部に形成したことにより、被連結コネクタにおける２つの突起部が水平方向に沿って配置されているとき、および垂直方向に沿って配設されているときのいずれのときにおいても、コネクタを回動（９０°回動）させることなく同じ姿勢でコネクタと被連結コネクタとを連結させることができる。このため、このコネクタによれば、操作性をさらに向上させることができる。
【図面の簡単な説明】
【００１２】
【図１】コネクタユニット１００の構成を示す斜視図である。
【図２】コネクタ１の構成を示す斜視図である。
【図３】コネクタ１の分解斜視図である。
【図４】カバー１０を取り外した状態のコネクタ１の斜視図である。
【図５】カバー１０を取り外した状態のコネクタ１の側面図である。
【図６】突起部２１２が水平方向に沿って位置するように電子機器３００に配設されたレセプタクル２の斜視図である。
【図７】コネクタ１の動作を説明する第１の説明図である。
【図８】コネクタ１の動作を説明する第２の説明図である。
【図９】コネクタ１の動作を説明する第３の説明図である。
【図１０】コネクタ１の動作を説明する第４の説明図である。
【図１１】コネクタ１の動作を説明する第５の説明図である。
【図１２】コネクタ１の動作を説明する第６の説明図である。
【図１３】コネクタ１の動作を説明する第７の説明図である。
【図１４】突起部２１２が垂直方向に沿って位置するように電子機器３００に配設されたレセプタクル２００の斜視図である。
【図１５】コネクタ１の動作を説明する第８の説明図である。
【発明を実施するための形態】
【００１３】
以下、コネクタの実施の形態について、添付図面を参照して説明する。
【００１４】
最初に、コネクタユニット１００の構成について、図面を参照して説明する。図１に示すコネクタユニット１００は、例えば、電流や電圧などの物理量を検出するセンサの電気ケーブルの終端部に接続されて、センサから出力された電気信号を測定装置等の電子機器に入力する際に用いられる器具であって、同図に示すように、筐体１５０と、筐体１５０の先端部（同図における左手前側の端部）に配設されたコネクタ１とを備えて構成されている。なお、同図では、筐体１５０の先端部側のみを図示し、他の部分の図示を省略している。
【００１５】
コネクタ１は、電子機器等に配設されている被連結コネクタとしてのＢＮＣ（Bayonet Neill Concelman ）レセプタクル２（雌形コネクタ：以下単に「レセプタクル２」ともいう）との連結が可能に構成されている。この場合、レセプタクル２は、図６に示すように、円筒状に形成された被嵌合部２１と、小径の円筒状に形成されて被嵌合部２１の中央部に配設された被接続端子２２とを備えて構成されている。また、被嵌合部２１の外周面２１１における中心軸を挟んで対向する２つの位置（この例では、水平の位置）には、一対の突起部２１２が配設されている。
【００１６】
一方、コネクタ１は、図２，３に示すように、カバー１０、第１嵌合部１１、第２嵌合部１２、規制部１３ａ，１３ｂ（以下、区別しないときには「規制部１３」ともいう）および回動機構１４を備えて構成されている。
【００１７】
カバー１０は、図３に示すように、先端部１０ａが円筒状に形成されると共に、基端部１０ｂが直方体状に形成されて、第１嵌合部１１、第２嵌合部１２、規制部１３ａ，１３ｂおよび回動機構１４を収容（取り付け）可能に構成されている。また、先端部１０ａには、レセプタクル２の被嵌合部２１を挿入させるための開口部１０１ａが形成された壁部１０１が設けられている。この場合、開口部１０１ａには、被嵌合部２１に配設されている突起部２１２を挿入させるための４つの切欠部１０１ｂが、先端部１０ａの中心軸（図示せず）を中心として互いに９０°をなす位置（等間隔で離間する位置）に形成されている。また、基端部１０ｂを構成する側壁１０２には、後述する回動機構１４の押圧部４２ａ，４２ｂ（図４，５参照）を支持するための支持孔１０２ａが形成されている。
【００１８】
第１嵌合部１１は、図３に示すように、筒状体１１１および端子１１２を備えて構成されている。筒状体１１１は、レセプタクル２の被嵌合部２１の内側に嵌合（挿入）可能な円筒状に形成されている。端子１１２は、同図に示すように、先端部（同図における左側の端部）が円錐状をなす円柱状に形成されて、筒状体１１１の中央部に配設されている。この端子１１２は、コネクタ１とレセプタクル２との連結時においてレセプタクル２の被接続端子２２に接続される。
【００１９】
第２嵌合部１２は、嵌合部の一例であって、図３に示すように、第１嵌合部１１の筒状体１１１よりも大径の円筒状に形成されて、図２に示すように、内側に第１嵌合部１１の筒状体１１１が挿入された状態で（つまり、第１嵌合部１１を取り囲むようにして）、カバー１０の先端部１０ａ内に収容されている。また、図３に示すように、第２嵌合部１２の先端部（同図における左側の端部）には、４つの切込部１２１が形成されている。この場合、各切込部１２１は、中心軸Ｘ１を中心として互いに９０°をなす位置（等間隔で離間する位置）に形成されており、第２嵌合部１２がカバー１０の先端部１０ａ内に配設されたときに、先端部１０ａの壁部１０１に形成されている４つの切欠部１０１ｂに各切込部１２１がそれぞれ対向する。
【００２０】
また、切込部１２１は、レセプタクル２の被嵌合部２１に配設されている突起部２１２の挿入を可能とするために、突起部２１２の直径よりも広い幅に形成されている。また、図３に示すように、第２嵌合部１２の基端部（同図における右側の端部）には、カバー１０の先端部１０ａ側の内部に配設される際にカバー１０の基端部１０ｂ側に係合させて第２嵌合部１２を固定するための係合部１２２が配設されている。
【００２１】
規制部１３ａ，１３ｂは、図４に示すように、第２嵌合部１２の中心軸Ｘ１を中心として回動可能に第２嵌合部１２の外側にそれぞれ配設されている。なお、同図および後述する図５，７〜１３，１５では、発明の理解を容易とするため、カバー１０を取り外した状態でコネクタ１を図示している。また、規制部１３ａ，１３ｂは、図３に示すように、円筒体の一部を切り取った形状にそれぞれ形成されて、図４，８，９，１１に示すように、第２嵌合部１２の外側に配設された状態において、いずれかの位置に隙間Ｓ１が生じる円筒体をなすように構成されている。
【００２２】
また、図３に示すように、各規制部１３ａ，１３ｂにおける先端部１３１（同図における左側の端部）の内周面１３２には、それぞれ２つ（コネクタ１全体としては、４つ）の閉塞部１３３が形成されている。この場合、閉塞部１３３は、同図に示すように、先端部１３１側に向かうほど幅が狭くなる（傾斜面１３３ａを有する）三角柱状に構成されている。また、各規制部１３ａ，１３ｂの基端部（同図における右側の端部）には、後述する回動機構１４の各押圧部４２ａ，４２ｂにおける腕部１４１ｃの先端部が係合する係合部１３４が形成されている。各規制部１３ａ，１３ｂは、第１位置Ｐ１に位置している状態（図４，７に示す状態）において第２嵌合部１２の切込部１２１に対するレセプタクル２の突起部２１２の挿入および引き抜きを規制すると共に、第２位置Ｐ２に位置している状態（図１１，１２に示す状態）において切込部１２１に対する突起部２１２の挿入および引き抜きを許容する機能を有している。具体的には、各規制部１３ａ，１３ｂは、第１位置Ｐ１に位置している状態において、図７に示すように、第２嵌合部１２の切込部１２１の先端部１２１ａ（同図における左側の端部）を閉塞部１３３によって閉塞し、第２位置Ｐ２に位置している状態において、図１１に示すように、閉塞部１３３による切込部１２１の先端部１２１ａの閉塞状態を解除する（先端部１２１ａを開放する）。
【００２３】
回動機構１４は、規制部１３を第１位置Ｐ１と第２位置Ｐ２との間で回動させる機構であって、図３に示すように、ノブ４１、押圧部４２ａ，４２ｂ（以下、区別しないときには「押圧部４２」ともいう）および一対のスプリング（コイルスプリング）４３を備えて構成されている。ノブ４１は、規制部１３を回動させる操作を行う際に用いられる操作用のノブであって、第２嵌合部１２の中心軸Ｘ１に沿う方向（図４に示す矢印Ａ，Ｂの向き）にスライド可能に（スライド操作が可能に）カバー１０における基端部１０ｂの上部に配設されている（図２参照）。
【００２４】
押圧部４２は、図３，５に示すように、Ｔ字状に接合した３つの腕部１４１ａ，１４１ｂ，１４１ｃを備えて構成されている。また、押圧部４２の中央部（各腕部１４１ａ，１４１ｂ，１４１ｃの接合部分）には、支持軸１４２が設けられている。また、腕部１４１ｂの先端部には、スプリング４３を係合させるための係合用突起１４３が設けられている。また、押圧部４２は、カバー１０における基端部１０ｂの側壁１０２に形成されている支持孔１０２ａに支持軸１４２が挿入されることによって支持軸１４２を中心として回動可能にカバー１０の基端部１０ｂ内に取り付けられている。
【００２５】
これらの押圧部４２は、ノブ４１に対して矢印Ａの向き（図５参照）へのスライド操作がされたときに、腕部１４１ａの先端部にノブ４１が当接して、ノブ４１のスライドに伴って矢印Ｃの向き（同図参照）に回動（作動）する。また、押圧部４２は、同図に示すように、矢印Ｄの向きに回動するように、腕部１４１ｂがスプリング４３によって付勢されており、ノブ４１に対するスライド操作がされていない初期状態では（または、ノブ４１に対して矢印Ｂの向きへのスライド操作がされたときには）、スプリング４３の付勢力によって矢印Ｄの向きに回動（作動）する。
【００２６】
また、押圧部４２は、図５に示すように、腕部１４１ｃの先端部が規制部１３の係合部１３４に係合しており、矢印Ｃの向きに回動したときに、腕部１４１ｃの先端部によって係合部１３４を矢印Ｅの向き（規制部１３が第２位置Ｐ２に向かう第２の向き）に押圧して規制部１３を矢印Ｅの向きに回動させる。また、押圧部４２は、矢印Ｄの向きに回動したときに、腕部１４１ｃの先端部によって係合部１３４を矢印Ｆの向き（規制部１３が第１位置Ｐ１に向かう第１の向き）に押圧して規制部１３を矢印Ｆの向きに回動させる。
【００２７】
スプリング４３は、付勢部の一例であって、押圧部４２の腕部１４１ｂに設けられている係合用突起１４３が一端部に挿入された状態で係合用突起１４３に係合すると共に（図５参照）、他端部がカバー１０の基端部１０ｂに形成されている図外の係合部に係合した状態で基端部１０ｂに収容されている。このスプリング４３は、押圧部４２が上記した第１の向き（同図に示す矢印Ｆの向き）に規制部１３を押圧するように押圧部４２を付勢する（同図における右向きに腕部１４１ｂを付勢する）。
【００２８】
次に、コネクタユニット１００の使用方法（コネクタユニット１００のコネクタ１とレセプタクル２との接続方法）について、図面を参照して説明する。
【００２９】
一例として、図６に示す電子機器３００に取り付けられているレセプタクル２にコネクタユニット１００のコネクタ１を連結するときには、図７に示すように、コネクタ１をレセプタクル２に近づける。次いで、コネクタ１におけるカバー１０の先端部１０ａの壁部１０１に形成されている開口部１０１ａ（図３参照）とレセプタクル２の被嵌合部２１の先端部とを対向させる。この際に、被嵌合部２１に配設されている突起部２１２が開口部１０１ａに形成されている切欠部１０１ｂに対向するようにレセプタクル２に対してコネクタ１を位置合わせする。
【００３０】
続いて、コネクタユニット１００をレセプタクル２に向けて押しつけて、レセプタクル２における被嵌合部２１の先端部をコネクタ１のカバー１０の開口部１０１ａに挿入させる。この際に、開口部１０１ａに挿入された被嵌合部２１の先端部が、コネクタ１の第２嵌合部１２における先端部の内側に挿入される。つまり、第２嵌合部１２の先端部が被嵌合部２１の外側に嵌合する。また、これに伴って、コネクタ１の第１嵌合部１１における筒状体１１１の先端部が、被嵌合部２１の内側に嵌合（挿入）される。
【００３１】
次いで、コネクタユニット１００をレセプタクル２に向けてさらに押しつける。この際に、被嵌合部２１が第２嵌合部１２内にさらに挿入され、被嵌合部２１に配設されている突起部２１２が、カバー１０の切欠部１０１ｂを通ってコネクタ１内に挿入される。ここで、このコネクタ１では、ノブ４１に対するスライド操作がされていないときには、規制部１３が第１位置Ｐ１に位置しており、この状態では、切欠部１０１ｂに対向する第２嵌合部１２の切込部１２１の先端部１２１ａを規制部１３の閉塞部１３３が閉塞している。このため、切欠部１０１ｂを通ってコネクタ１内に挿入された突起部２１２が、図８に示すように、閉塞部１３３の傾斜面１３３ａに当接する。なお、同図および図９では、発明の理解を容易とするため、レセプタクル２における被嵌合部２１の図示を省略して突起部２１２のみを図示している。
【００３２】
続いて、コネクタユニット１００をレセプタクル２に向けてさらに押しつけたときには、図９，１０に示すように、レセプタクル２の突起部２１２が、閉塞部１３３の傾斜面１３３ａを押圧しつつコネクタ１規制部１３の奥側に向かって挿入される。これにより、図１０に示すように、回動機構１４の押圧部４２を介して矢印Ｆの向きに規制部１３を付勢するスプリング４３の付勢力に抗して、規制部１３が矢印Ｅの向きに回動させられる。また、この規制部１３の回動に伴い、規制部１３の係合部１３４に腕部１４１ｃが係合している押圧部４２が矢印Ｃの向きに回動させられる。
【００３３】
次いで、コネクタユニット１００をレセプタクル２に向けてさらに押しつけたときには、図１１に示すように、レセプタクル２の突起部２１２が、閉塞部１３３の傾斜面１３３ａを押圧しつつコネクタ１規制部１３の奥側にさらに挿入され、これにより、同図および図１２に示すように、規制部１３が第２位置Ｐ２に位置させられる。この状態では、図１１に示すように、閉塞部１３３による切込部１２１の先端部１２１ａの閉塞状態が解除されて、切込部１２１に対する突起部２１２の挿入が可能となる。このため、突起部２１２が切込部１２１に挿入されつつ被嵌合部２１が第２嵌合部１２内にさらに挿入される。続いて、図１３に示すように、突起部２１２が切込部１２１における基端部側（奥側）の端部に当接した時点で、レセプタクル２に対するコネクタユニット１００の押しつけを終了する。これにより、被嵌合部２１の外側に第２嵌合部１２が嵌合され、被嵌合部２１の内側に第１嵌合部１１の筒状体１１１が嵌合される。また、第１嵌合部１１の端子１１２がレセプタクル２の被接続端子２２に接続される。
【００３４】
また、突起部２１２が切込部１２１に挿入されたときには、閉塞部１３３の傾斜面１３３ａに対する突起部２１２による押圧が解除される。このため、図１３に示すように、スプリング４３の付勢力によって押圧部４２が矢印Ｄの向きに回動させられて、この押圧部４２の回動に伴って規制部１３が矢印Ｆの向きに回動させられる結果、規制部１３が第１位置Ｐ１に位置する。この状態では、同図に示すように、切込部１２１の先端部１２１ａが規制部１３の閉塞部１３３によって閉塞されて、切込部１２１からの突起部２１２の引き抜きが規制される。これにより、コネクタ１とレセプタクル２とが連結された状態を維持する。
【００３５】
一方、コネクタ１とレセプタクル２との連結を解除する際には、ノブ４１を矢印Ａの向きにスライドさせる。この際に、押圧部４２の腕部１４１ａの先端部がノブ４１に当接して、ノブ４１のスライドに伴って押圧部４２が図１３に示す矢印Ｃの向きに回動させられる。また、この押圧部４２の回動に伴い、ノブ４１の腕部１４１ｃの先端部が規制部１３の係合部１３４を矢印Ｅの向きに押圧する。これにより、規制部１３が矢印Ｅの向きに回動させられて、図１１に示すように、規制部１３が第２位置Ｐ２に位置する。この状態では、同図に示すように、規制部１３の閉塞部１３３による切込部１２１の先端部１２１ａの閉塞状態が解除されて、切込部１２１からの突起部２１２の引き抜き、つまりレセプタクル２の引き抜きが可能となる。
【００３６】
次いで、コネクタユニット１００をレセプタクル２から引き離す。この際に、被嵌合部２１が突起部２１２と共にコネクタ１から引き抜かれ、これによってコネクタ１の端子１１２とレセプタクル２の被接続端子２２との接続が解除されると共に、第１嵌合部１１および第２嵌合部１２と被接続端子２２との嵌合状態が解除される。
【００３７】
続いて、ノブ４１に対するスライド状態を解除する。この際に、スプリング４３の付勢力により、図７に示すように、押圧部４２が矢印Ｄの向きに回動させられて、この押圧部４２の回動に伴って規制部１３が矢印Ｆの向きに回動させられる結果、規制部１３が第１位置Ｐ１に位置して初期状態に復帰する。
【００３８】
ここで、このコネクタ１では、カバー１０の先端部１０ａに４つの切欠部１０１ｂが等間隔で形成され、第２嵌合部１２の先端部に４つの切込部１２１が等間隔で形成されている。このため、図１４に示すように、２つの突起部２１２が垂直方向に沿って位置するように配設されたレセプタクル２とコネクタユニット１００のコネクタ１とを連結する場合においても、図１５に示すように、コネクタユニット１００を回動（９０°回動）させることなく、コネクタ１を上記したレセプタクル２との接続時の姿勢と同じ姿勢に維持して、コネクタユニット１００をレセプタクル２に押しつけることで連結を行うことができる。
【００３９】
このように、このコネクタ１では、第２嵌合部１２の中心軸Ｘ１に沿う方向に回動機構１４のノブ４１をスライドさせることで、切込部１２１に対するレセプタクル２の突起部２１２の挿入および引き抜きを規制する第１位置Ｐ１と許容する第２位置Ｐ２との間で規制部１３が回動させられる。このため、このコネクタ１によれば、コネクタ１を回動させてレセプタクル２とコネクタ１とを連結させる従来の構成とは異なり、回動させる操作を行うことなく、第２嵌合部１２の中心軸Ｘ１に沿う方向（矢印Ｂの向き）にレセプタクル２に対してコネクタ１（コネクタユニット１００）を押し込むだけで、コネクタ１とレセプタクル２とを連結させることができ、また、中心軸Ｘ１に沿う方向（矢印Ａの向き）にノブ４１をスライド操作させてその方向（その向き）にコネクタ１（コネクタユニット１００）引き抜くだけで、コネクタ１とレセプタクル２との連結を解除させることができる。したがって、このコネクタ１によれば、レセプタクル２が狭い場所や手の届き難い場所に位置して、コネクタ１（コネクタユニット１００）を回動させる操作が困難な場合においても、コネクタ１とレセプタクル２との連結および連結解除の操作を容易に行うことができる結果、操作性を十分に向上させることができる。
【００４０】
また、このコネクタ１によれば、押圧部４２が第１の向き（上記の矢印Ｆの向き）に各規制部１３を押圧するように押圧部４２を付勢するスプリング４３を備えて回動機構１４を構成したことにより、ノブ４１に対するスライド操作を行うことなく（ノブ４１に対する操作を終了することで）、スプリング４３の付勢力によって規制部１３を自動的に第１位置Ｐ１の位置に位置させて、切込部１２１に対するレセプタクル２の突起部２１２の挿入および引き抜きを規制することができる。このため、このコネクタ１によれば、規制部１３を第１位置Ｐ１の位置に位置させるためにノブ４１を操作する必要がある構成と比較して、操作性をさらに向上させることができる。
【００４１】
また、このコネクタ１によれば、互いに等間隔に配置された４つの切込部１２１を第２嵌合部１２に形成したことにより、レセプタクル２における２つの突起部２１２が水平方向に沿って配置されているとき、および垂直方向に沿って配設されているときのいずれのときにおいても、コネクタ１を回動（９０°回動）させることなく同じ姿勢でコネクタ１とレセプタクル２とを連結させることができる。このため、このコネクタ１によれば、操作性をさらに向上させることができる。
【００４２】
なお、コネクタの構成や使用方法は、上記の構成および方法に限定されない。例えば、コネクタ１をコネクタユニット１００に組み込んだ例について上記したが、コネクタユニット１００に組み込んでいない状態のコネクタ１を用いる（つまり、コネクタ１を単独で用いる）こともできる。
【００４３】
また、コイルスプリングで構成されたスプリング４３を付勢部として用いる例について上記したが、他の付勢部（例えば、板ばねや、ねじりコイルばね）を用いる構成を採用することもできる。また、押圧部４２の腕部１４１ｂを付勢する例について上記したが、腕部１４１ａや腕部１４１ｃなどの他の部位を付勢する構成を採用することもできる。また、ノブ４１と押圧部４２とを連結部材等を介して連結して、付勢部によってノブ４１を付勢する構成を採用することもできる。さらに、付勢部による付勢を行わずに、ノブ４１に対するスライド操作だけで規制部１３を回動させる構成を採用することもできる。
【００４４】
また、押圧部４２ａ，４２ｂを別体に構成した例について上記したが、押圧部４２ａ，４２ｂを一体にした構成を採用することもできる。また、４つの切込部１２１を第２嵌合部１２に形成した例について上記したが、切込部１２１を２つだけ形成した構成を採用することもできる。また、カバー１０を備えてコネクタ１を構成した例について上記したが、カバー１０を備えていないコネクタを採用することもできる。
【符号の説明】
【００４５】
１  コネクタ
２  レセプタクル
１２  第２嵌合部
１３ａ，１３ｂ  規制部
１４  回動機構
２１  被嵌合部
４１  ノブ
４２ａ，４２ｂ  押圧部
４３  スプリング
１１１  筒状体
１１２  端子
１２１  切込部
１３３  閉塞部
１３３ａ  傾斜面
２１２  突起部
Ｘ１  中心軸
Ｐ１  第１位置
Ｐ２  第２位置
【図１】
2014146462.tif 000003
【図２】
2014146462.tif 000004
【図３】
2014146462.tif 000005
【図４】
2014146462.tif 000006
【図５】
2014146462.tif 000007
【図６】
2014146462.tif 000008
【図７】
2014146462.tif 000009
【図８】
2014146462.tif 000010
【図９】
2014146462.tif 000011
【図１０】
2014146462.tif 000012
【図１１】
2014146462.tif 000013
【図１２】
2014146462.tif 000014
【図１３】
2014146462.tif 000015
【図１４】
2014146462.tif 000016
【図１５】
2014146462.tif 000017